【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
仮想画像生成システムを動作させる方法であって、前記方法は、
エンドユーザが３次元場面内に着目オブジェクトを可視化することを可能にすることと、
テキスト領域を前記ユーザの視野内に空間的に関連付けることであって、前記テキスト領域は、前記着目オブジェクトと空間的に関連付けられる、ことと、
前記着目オブジェクトと関連付けられたジェスチャ基準を生成することと、
前記着目オブジェクトの少なくとも１つ特性を識別するテキストメッセージを生成することと、
前記テキストメッセージを前記テキスト領域内でストリーミングすることと、
前記ジェスチャ基準の複数の異なる領域に対して前記エンドユーザの解剖学的部分の角度位置を検出することによって、前記エンドユーザからのジェスチャコマンドを感知することと、
前記感知されたジェスチャコマンドに応答して前記テキストメッセージのストリーミングを制御することと
を含み、
前記ジェスチャ基準は、前記着目オブジェクトを包囲する環状リングであり、
前記環状リングの第１の側は、前記異なる領域のうちの１つを形成し、前記環状リングの第１の側の反対方向の前記環状リングの第２の側は、前記異なる領域のうちの別の１つを形成する、方法。
【請求項２】
前記ジェスチャ基準を前記着目オブジェクトに隣接するジェスチャ基準オブジェクトとして表示することをさらに含む、請求項１に記載の方法。
【請求項３】
前記エンドユーザの前記解剖学的部分は、前記エンドユーザの頭部である、請求項１に記載の方法。
【請求項４】
前記エンドユーザの前記解剖学的部分は、前記エンドユーザの指または手である、請求項３に記載の方法。
【請求項５】
前記ジェスチャ基準は、前記着目オブジェクトと別個であり、異なる、請求項１に記載の方法。
【請求項６】
前記環状リングは、複数の同心リングを備え、前記同心リングのうちの隣接する２つの間の境界面は、前記異なる領域のうちの１つを形成する、請求項１に記載の方法。
【請求項７】
前記環状リングの内側または外側縁は、前記異なる領域のうちの別の１つを形成する、請求項６に記載の方法。
【請求項８】
前記ジェスチャ基準は、前記着目オブジェクトである、請求項１に記載の方法。
【請求項９】
前記テキストメッセージのストリーミングは、前記エンドユーザの前記解剖学的部分が前記ジェスチャ基準の１つの領域に向けられると前記テキストメッセージのストリーミングを開始し、前記エンドユーザの前記解剖学的部分が前記ジェスチャ基準の別の異なる領域に向けられると前記テキストメッセージのストリーミングを終了することによって、前記感知されたジェスチャコマンドに応答して制御される、請求項１に記載の方法。
【請求項１０】
前記テキストメッセージのストリーミングは、前記エンドユーザの前記解剖学的部分が前記ジェスチャ基準の１つの領域に向けられると前記テキストメッセージの少なくとも１つの単語を表示し、前記エンドユーザの前記解剖学的部分が前記ジェスチャ基準の別の異なる領域に向けられると前記テキストメッセージの少なくとも別の単語を表示することによって、前記感知されたジェスチャコマンドに応答して制御される、請求項１に記載の方法。
【請求項１１】
前記ジェスチャコマンドは、前記エンドユーザの前記解剖学的部分が前記ジェスチャ基準を横断して走査させられるにつれて、前記エンドユーザから感知される、請求項１に記載の方法。
【請求項１２】
１つ以上のセンサは、前記エンドユーザの前記解剖学的部分が前記ジェスチャ基準を横断して走査させられるにつれて、前記エンドユーザからの前記ジェスチャコマンドを送信するために構成されている、請求項１に記載の方法。
【請求項１３】
エンドユーザによる使用のための仮想画像生成システムであって、前記仮想画像生成システムは、
前記エンドユーザが３次元場面内に着目オブジェクトを可視化することを可能にするために構成されているディスプレイシステムと、
制御システムであって、前記制御システムは、
テキスト領域を前記ユーザの視野内に空間的に関連付けることであって、前記テキスト領域は、前記着目オブジェクトと空間的に関連付けられる、ことと、
前記着目オブジェクトと関連付けられたジェスチャ基準を生成することと、
前記着目オブジェクトの少なくとも１つ特性を識別するテキストメッセージを生成することと、
前記テキストメッセージを前記テキスト領域内でストリーミングするように前記ディスプレイシステムに命令することと
を行うように構成されている、制御システムと、
前記ジェスチャ基準の複数の異なる領域に対して前記エンドユーザの解剖学的部分の角度位置を検出することによって、前記エンドユーザからのジェスチャコマンドを感知するために構成されている１つ以上のセンサと
を備え、
前記制御システムは、前記感知されたジェスチャコマンドに応答して前記テキストメッセージのストリーミングを制御するためにさらに構成され、
前記ジェスチャ基準は、前記着目オブジェクトを包囲する環状リングであり、前記環状リングの第１の側は、前記異なる領域のうちの１つを形成し、前記環状リングの第１の側の反対方向の前記環状リングの第２の側は、前記異なる領域のうちの別の１つを形成する、仮想画像生成システム。
【請求項１４】
前記制御システムは、前記ジェスチャ基準を前記着目オブジェクトに隣接するジェスチャ基準オブジェクトとして表示するように前記ディスプレイシステムに命令するためにさらに構成されている、請求項１３に記載の仮想画像生成システム。
【請求項１５】
前記エンドユーザの前記解剖学的部分は、前記エンドユーザの頭部である、請求項１３に記載の仮想画像生成システム。
【請求項１６】
前記エンドユーザの前記解剖学的部分は、前記エンドユーザの指または手である、請求項１５に記載の仮想画像生成システム。
【請求項１７】
前記ジェスチャ基準は、前記着目オブジェクトと別個であり、異なる、請求項１３に記載の仮想画像生成システム。
【請求項１８】
前記環状リングは、複数の同心リングを備え、前記同心リングのうちの隣接する２つの間の境界面は、前記異なる領域のうちの１つを形成する、請求項１３に記載の仮想画像生成システム。
【請求項１９】
前記環状リングの内側または外側縁は、前記異なる領域のうちの別の１つを形成する、請求項１８に記載の仮想画像生成システム。
【請求項２０】
前記ジェスチャ基準は、前記着目オブジェクトである、請求項１９に記載の仮想画像生成システム。
【請求項２１】
前記制御システムは、前記エンドユーザの前記解剖学的部分が前記ジェスチャ基準の１つの領域に向けられると前記テキストメッセージのストリーミングを開始し、前記エンドユーザの前記解剖学的部分が前記ジェスチャ基準の別の異なる領域に向けられると前記テキストメッセージのストリーミングを終了するように前記ディスプレイシステムに命令することによって、前記感知されたジェスチャコマンドに応答して前記テキストメッセージのストリーミングを制御するために構成されている、請求項１３に記載の仮想画像生成システム。
【請求項２２】
前記制御システムは、前記エンドユーザの前記解剖学的部分が前記ジェスチャ基準の１つの領域に向けられると前記テキストメッセージの少なくとも１つの単語を表示し、前記エンドユーザの前記解剖学的部分が前記ジェスチャ基準の別の異なる領域に向けられると前記テキストメッセージの少なくとも別の単語を表示するように前記ディスプレイシステムに命令することによって、前記感知されたジェスチャコマンドに応答して前記テキストメッセージのストリーミングを制御するために構成されている、請求項１３に記載の仮想画像生成システム。